(57)【要約】【課題】ＡＦモードの撮影準備完了後に一時的にＭＦモードへ切り替わるような撮影補助機能を用いてユーザーが快適に撮影を行うことができるようにする。【解決手段】撮影待機中の拡大表示倍率の設定値とＡＦ＋ＭＦモード時の拡大表示倍率の設定値とを比較し、撮影待機中の拡大表示倍率の方が大きいか否かを判定する。この判定の結果、撮影待機中の拡大表示倍率の方が小さいもしくは同じである場合は、ＡＦ＋ＭＦモードで設定されている拡大表示倍率でライブビュー画像を表示する。一方、撮影待機中の拡大表示倍率の方が大きい場合は、撮影待機中に表示していた拡大倍率でライブビュー画像を表示する。【選択図】図９
2018107753.tif 000002
【特許請求の範囲】
【請求項１】
撮像手段で撮像されたライブビュー画像の拡大指示を行う拡大指示手段と、
手動によるフォーカスの調整の操作を受け付けるＭＦ操作手段と、
前記拡大指示手段による拡大指示があったことに応じて前記ライブビュー画像を第１の倍率で拡大表示するように制御し、
前記ＭＦ操作手段が前記操作を受け付けたことに応じて、前記第１の倍率と、前記ＭＦ操作手段が前記操作を受け付けたことに応じて前記ライブビュー画像を表示する倍率として予め定められた第２の倍率とのうち、大きい方の倍率で前記ライブビュー画像を表示するように制御する制御手段と
を有することを特徴とする撮像制御装置。
【請求項２】
前記第２の倍率をユーザーの操作に応じて選択する選択手段をさらに有することを特徴とすることを特徴とする請求項１に記載の撮像制御装置。
【請求項３】
前記第１の倍率と前記第２の倍率とを比較する比較手段を有し、
前記制御手段は、前記比較手段の比較の結果から、前記第１の倍率と前記第２の倍率との大きい方の倍率で前記ライブビュー画像を表示するように制御することを特徴とする請求項１または２に記載の撮像制御装置。
【請求項４】
前記拡大指示手段の拡大指示によって前記ライブビュー画像を拡大させる際の前記第１の倍率をユーザーの操作に応じて決定する決定手段をさらに有することを特徴とする請求項１乃至３のいずれか１項に記載の撮像制御装置。
【請求項５】
前記ＭＦ操作手段が前記操作に応じて前記第１の倍率で拡大表示を行う場合、前記制御手段は、前記第１の倍率で前記ライブビュー画像を表示する旨を併せて表示するように制御することを特徴とする請求項１乃至４のいずれか１項に記載の撮像制御装置。
【請求項６】
前記第１の倍率および前記第２の倍率の設定値を記憶する記憶手段をさらに有することを特徴とする請求項１乃至５のいずれか１項に記載の撮像制御装置。
【請求項７】
撮像手段で撮像されたライブビュー画像の拡大指示を行う拡大指示手段と、
手動によるフォーカスの調整の操作を受け付けるＭＦ操作手段と、
前記拡大指示手段による拡大指示があったことに応じて前記ライブビュー画像を第１の倍率で拡大表示するように制御し、
前記ＭＦ操作手段が前記操作を受け付けたことに応じて、前記第１の倍率よりも大きい倍率で前記ライブビュー画像を表示するように制御する制御手段と
を有することを特徴とする撮像制御装置。
【請求項８】
撮像手段で撮像されたライブビュー画像の拡大指示を行う拡大指示手段と、
手動によるフォーカスの調整の操作を受け付けるＭＦ操作手段と、
前記ＭＦ操作手段が前記操作を受け付けたことに応じて前記ライブビュー画像を最も大きい倍率で拡大表示するか否かの設定を受け付ける設定受付手段と、
前記拡大指示手段による拡大指示があったことに応じて前記ライブビュー画像を第１の倍率で拡大表示するように制御し、
前記ＭＦ操作手段が前記操作を受け付けたことに応じて、前記設定受付手段によって前記最も大きい倍率で拡大表示する設定となっていない場合は、前記第１の倍率で前記ライブビューを表示するように制御し、前記設定受付手段によって前記最も大きい倍率で拡大表示する設定となっている場合は、前記最も大きい倍率で前記ライブビュー画像を表示するように制御する制御手段と
を有することを特徴とする撮像制御装置。
【請求項９】
撮像手段で撮像されたライブビュー画像の拡大指示を行う拡大指示手段と、
手動によるフォーカスの調整の操作を受け付けるＭＦ操作手段と、
前記拡大指示手段による拡大指示があったことに応じて前記ライブビュー画像を第１の倍率で拡大表示するように制御し、
前記ＭＦ操作手段が前記操作を受け付けたことに応じて、前記第１の倍率に、前記ＭＦ操作手段が前記操作を受け付けたことに応じて前記ライブビュー画像を表示する倍率として予め定められた第２の倍率を乗算した倍率で前記ライブビュー画像を表示するように制御する制御手段と
を有することを特徴とする撮像制御装置。
【請求項１０】
前記第１の倍率および前記第２の倍率の設定値を記憶する記憶手段をさらに有することを特徴とする請求項９に記載の撮像制御装置。
【請求項１１】
前記ＭＦ操作手段は、前記撮像手段による撮影準備動作が開始された後に手動によるフォーカスの調整の操作を受け付け可能であり、前記撮影準備動作は、オートフォーカスによる調整を含むことを特徴とする請求項１乃至１０のいずれか１項に記載の撮像制御装置。
【請求項１２】
前記ＭＦ操作手段は、前記オートフォーカスによる調整が行われた位置からフォーカスの調整を受け付けることを特徴とする請求項１１に記載の撮像制御装置。
【請求項１３】
前記撮像手段による撮影が完了した後に、前記制御手段は、前記拡大指示手段によって拡大指示された倍率で前記ライブビュー画像を表示するように制御することを特徴とする請求項１乃至１２のいずれか１項に記載の撮像制御装置。
【請求項１４】
手動によるフォーカスの調整の操作を受け付けるＭＦ操作手段を有する撮像制御装置の制御方法であって、
撮像手段で撮像されたライブビュー画像の拡大指示を行う拡大指示工程と、
前記拡大指示工程における拡大指示があったことに応じて前記ライブビュー画像を第１の倍率で拡大表示するように制御し、前記ＭＦ操作手段が前記操作を受け付けたことに応じて、前記第１の倍率と、前記ＭＦ操作手段が前記操作を受け付けたことに応じて前記ライブビュー画像を表示する倍率として予め定められた第２の倍率とのうち、大きい方の倍率で前記ライブビュー画像を表示するように制御する制御工程と
を有することを特徴とする撮像制御装置の制御方法。
【請求項１５】
手動によるフォーカスの調整の操作を受け付けるＭＦ操作手段を有する撮像制御装置の制御方法であって、
撮像手段で撮像されたライブビュー画像の拡大指示を行う拡大指示工程と、
前記拡大指示工程における拡大指示があったことに応じて前記ライブビュー画像を第１の倍率で拡大表示するように制御し、前記ＭＦ操作手段が前記操作を受け付けたことに応じて、前記第１の倍率よりも大きい倍率で前記ライブビュー画像を表示するように制御する制御工程と
を有することを特徴とする撮像制御装置の制御方法。
【請求項１６】
手動によるフォーカスの調整の操作を受け付けるＭＦ操作手段を有する撮像制御装置の制御方法であって、
撮像手段で撮像されたライブビュー画像の拡大指示を行う拡大指示工程と、
前記ＭＦ操作手段が前記操作を受け付けたことに応じて前記ライブビュー画像を最も大きい倍率で拡大表示するか否かの設定を受け付ける設定受付工程と、
前記拡大指示工程における拡大指示があったことに応じて前記ライブビュー画像を第１の倍率で拡大表示するように制御し、前記ＭＦ操作手段が前記操作を受け付けたことに応じて、前記設定受付工程において前記最も大きい倍率で拡大表示する設定となっていない場合は、前記第１の倍率で前記ライブビューを表示するように制御し、前記設定受付工程において前記最も大きい倍率で拡大表示する設定となっている場合は、前記最も大きい倍率で前記ライブビュー画像を表示するように制御する制御工程と
を有することを特徴とする撮像制御装置の制御方法。
【請求項１７】
手動によるフォーカスの調整の操作を受け付けるＭＦ操作手段を有する撮像制御装置の制御方法であって、
撮像手段で撮像されたライブビュー画像の拡大指示を行う拡大指示工程と、
前記拡大指示工程における拡大指示があったことに応じて前記ライブビュー画像を第１の倍率で拡大表示するように制御し、前記ＭＦ操作手段が前記操作を受け付けたことに応じて、前記第１の倍率に、前記ＭＦ操作手段が前記操作を受け付けたことに応じて前記ライブビュー画像を表示する倍率として予め定められた第２の倍率を乗算した倍率で前記ライブビュー画像を表示するように制御する制御工程と
を有することを特徴とする撮像制御装置の制御方法。
【請求項１８】
コンピュータを、請求項１乃至１３のいずれか１項に記載の撮像制御装置の各手段として機能させるためのプログラム。
【請求項１９】
コンピュータを、請求項１乃至１３のいずれか１項に記載の撮像制御装置の各手段として機能させるためのプログラムを格納したコンピュータが読み取り可能な記憶媒体。
【発明の詳細な説明】
【技術分野】
【０００１】
本発明は、特に、ライブビューの拡大表示を行う際に用いて好適な撮像制御装置、撮像制御装置の制御方法、プログラム及び記憶媒体に関する。
【背景技術】
【０００２】
デジタルカメラなど、撮像機能をもつ携帯電子機器では、撮影レンズで被写体の光を集めてＣＣＤ等の撮像素子に結像させ、記録媒体に画像データを保存し、記録した画像データを再生して画像表示部に表示することができる。また、一部のデジタルカメラは、被写体像をリアルタイムで画像表示部に表示する、いわゆるライブビュー撮影モードを有しており、撮影者は光学ファインダーを具備しないデジタルカメラでも画像表示部を用いて、構図を確認しながら撮影できる。この時、撮影者は事前に設定した表示枠内の画像を拡大し、被写体にピントがきちんと合っているか否かについて、表示画像を見ながら確認することもできる。
【０００３】
また、近年は、焦点調整の操作モードを自動モード（以後ＡＦモード）または手動モード（以後ＭＦモード）に切り替えることが可能なデジタルカメラにおいて、以下のような技術が開示されている。特許文献１には、ＡＦモードの撮影準備完了後に焦点距離を変更するような操作を行うと、一時的にＭＦモードへ切り替わるような撮影補助機能が搭載されたビデオカメラが開示されている。さらに、一時的なＭＦモードへ切り替わった場合は、厳密にピントを合わせるために予め設定されている倍率で画像を拡大する機能を有するカメラも存在する。前述するような動作を組み合わせることで、ＡＦモードからＭＦモードへ速やかに移行し、さらにピント調整のために拡大表示も合わせて行うことにより、ＡＦモードとＭＦモードとを快適に切り換えながら撮影することが可能である。
【先行技術文献】
【特許文献】
【０００４】
【特許文献１】特開平５−１５０２９１号公報
【発明の概要】
【発明が解決しようとする課題】
【０００５】
ＡＦモードで既に拡大している状態からＭＦモードへ切り換えたときに、ＭＦモードへの切り替えに伴う所定倍率での拡大機能を実行した結果、ＡＦモードで既に拡大していた倍率より小さい倍率になると、ＭＦモードへの切替前と比べて相対的に縮小してしまう。これでは、ＭＦ操作によってＡＦよりも厳密にピントを合わせられたかどうかを確認し難く、ユーザーにとってこの機能を用いて快適に撮影を行うことができない。
【０００６】
本発明は前述の問題点に鑑み、一時的にＭＦモードへ切り替わるような撮影補助機能を用いてユーザーが快適に撮影を行うことができるようにすることを目的としている。
【課題を解決するための手段】
【０００７】
本発明に係る撮像制御装置は、撮像手段で撮像されたライブビュー画像の拡大指示を行う拡大指示手段と、手動によるフォーカスの調整の操作を受け付けるＭＦ操作手段と、前記拡大指示手段による拡大指示があったことに応じて前記ライブビュー画像を第１の倍率で拡大表示するように制御し、前記ＭＦ操作手段が前記操作を受け付けたことに応じて、前記第１の倍率と、前記ＭＦ操作手段が前記操作を受け付けたことに応じて前記ライブビュー画像を表示する倍率として予め定められた第２の倍率とのうち、大きい方の倍率で前記ライブビュー画像を表示するように制御する制御手段とを有することを特徴とする。
【発明の効果】
【０００８】
本発明によれば、一時的にＭＦモードへ切り替わるような撮影補助機能を用いてユーザーが快適に撮影を行うことができる。
【図面の簡単な説明】
【０００９】
【図１】実施形態に係るデジタルカメラの外観構成例を示す図である。
【図２】実施形態に係るデジタルカメラの内部構成例を示すブロック図である。
【図３】撮影レンズの周囲に配置されるピント調整スイッチを説明するための図である。
【図４】デジタルカメラの電源起動から撮影までの処理手順の一例を示すフローチャートである。
【図５】通常の表示画面および拡大時の表示画面の一例を示す図である。
【図６】メニュー処理の詳細な処理手順の一例を示すフローチャートである。
【図７】拡大モード処理の詳細な処理手順の一例を示すフローチャートである。
【図８】第１の実施形態において、ＡＦ＋ＭＦモード時の拡大表示倍率を決定する詳細な処理手順の一例を示すフローチャートである。
【図９】各実施形態における撮影待機中の拡大表示倍率とＡＦ＋ＭＦモードにおける拡大表示倍率との関係を示す図である。
【図１０】第２の実施形態において、ＡＦ＋ＭＦモード時の拡大表示倍率を決定する詳細な処理手順の一例を示すフローチャートである。
【図１１】第３の実施形態において、ＡＦ＋ＭＦモード時の拡大表示倍率を決定する詳細な処理手順の一例を示すフローチャートである。
【図１２】第４の実施形態において、ＡＦ＋ＭＦモード時の拡大表示倍率を決定する詳細な処理手順の一例を示すフローチャートである。
【発明を実施するための形態】
【００１０】
（第１の実施形態）
以下に、本発明の好ましい実施形態を、添付の図面に基づいて詳細に説明する。
図１に、本実施形態の撮像制御装置の一例としてのデジタルカメラ１００の外観構成例を示す。表示部２８は画像や各種情報を表示する表示部である。表示部２８はタッチパネルで構成されており、表示部２８に対する接触を検知可能である。シャッターボタン６１は撮影指示を行うための操作部である。
【００１１】
モードダイアル（モード切替スイッチ）６０は各種モードを切り替えるための操作部である。コネクタ１１２は接続ケーブルとデジタルカメラ１００とのコネクタである。操作部７０はユーザーからの各種操作を受け付ける各種スイッチ、ボタン、タッチパネル等の操作部材より成る操作部である。コントローラーホイール７３は操作部７０に含まれる回転操作可能な操作部材である。電源スイッチ７２は、電源オン、電源オフを切り替えるためのスイッチである。
【００１２】
記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。アクセサリシュー７７は、外部ストロボや外付電子ビューファインダーなどのデジタルカメラ用外部接続機器を接続するためのコネクタである。
【００１３】
図２は、本実施形態に係るデジタルカメラ１００の内部構成例を示すブロック図である。
図２において、撮影レンズ１０３はフォーカスレンズを含むレンズ群であり、シャッター１０１は絞り機能を備えるシャッターである。撮像部２２は光学像を電気信号に変換するＣＣＤやＣＭＯＳ素子等で構成される。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１４】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１５】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像データおよび音声データを格納するのに十分な記憶容量を備えている。表示部２８を用いて撮像した画像データを逐次表示すれば、電子ファインダー機能（スルー画像表示）を実現することが可能である。
【００１６】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。
【００１７】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１８】
システム制御部５０は、デジタルカメラ１００全体を制御する。前述した不揮発性メモリ５６に記録されたプログラムを実行することで、後述する本実施形態の各処理を実現する。システムメモリ５２は、例えばＲＡＭが用いられ、システムメモリ５２には、システム制御部５０の動作用の定数、変数等が記憶され、不揮発性メモリ５６から読み出したプログラム等が展開される。また、システム制御部５０はメモリ３２、Ｄ／Ａ変換器１３、表示部２８等を制御することにより表示制御も行う。
【００１９】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画データおよび動画データを記録可能な撮影モード、再生モード等のいずれかに切り替える。
【００２０】
第１シャッタースイッチ６２は、デジタルカメラ１００に設けられたシャッターボタン６１の操作途中、いわゆる半押し（撮影準備動作指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作（以下、これらのうち少なくとも一つを撮影準備動作と称する）を開始する。これらの処理はシステム制御部５０の制御によって行われる。
【００２１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、４方向ボタンやＳＥＴボタンとを用いて直感的に各種設定を行うことができる。
【００２３】
コントローラーホイール７３は、操作部７０に含まれる回転操作可能な操作部材であり、４方向ボタンと共に選択項目を指示する際などに使用される。
【００２４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２５】
ＭＦ操作部材７５は、ＭＦ（マニュアルフォーカス）モード設定されているときに撮影レンズ１０３の焦点距離を切り替えるための回転操作可能な操作部材であり、図３のように撮影レンズ１０３の周囲に配置される。ＭＦ操作部材７５は、ＡＦ（オートフォーカス）モードでは基本的に機能しない。一方、例えば第１シャッタースイッチ信号ＳＷ１によるＡＦ処理完了後にＭＦ操作部材７５がＭＦ操作されると、ＡＦでピント合わせされたあとにユーザーの手により手動でピント合わせするような、一時的なＭＦモードへ遷移する。第１シャッタースイッチ信号ＳＷ１が解除されたり、第２シャッタースイッチ信号ＳＷ２による撮影処理が終了したりした後はＭＦモードからＡＦモードへ戻る。以後、この機能をＡＦ＋ＭＦモードと呼称する。
【００２６】
電源部３０は、アルカリ電池やリチウム電池等の一次電池やＮｉＣｄ電池やＮｉＭＨ電池、Ｌｉ電池等の二次電池、ＡＣアダプター等からなる。Ｉ／Ｆ１８はメモリカードやハードディスク等の記録媒体２００とのインターフェースである。記録媒体２００はメモリカード等の記録媒体であり、半導体メモリや磁気ディスク等から構成される。
【００２７】
なお、操作部７０の一つとして、表示部２８に対する接触操作を検知可能なタッチパネル（タッチ操作部材）を有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザーが表示部２８上に表示された画面を直接的に操作可能であるかのようなＧＵＩを構成することができる。システム制御部５０はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バスを通じてシステム制御部５０に通知され、システム制御部５０は通知された情報に基づいてタッチパネル上にどのような操作が行なわれたかを判定する。
【００２８】
ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００２９】
以下、フローチャートを参照して、本実施形態の動作を説明する。各フローチャートの処理は、不揮発性メモリ５６に記録されたプログラムをシステムメモリ５２に展開してシステム制御部５０が実行することで実現する。また、本実施形態では、表示倍率は、１倍、５倍、１０倍の３通りに設定できるものとして説明する。
【００３０】
以下、ＡＦ＋ＭＦモード中における処理手順について説明する。本実施形態においては、ＡＦ＋ＭＦモードでは、撮影待機状態において表示部２８を拡大表示（以後、撮影待機中の拡大表示）する倍率と、ＡＦ＋ＭＦモード中に表示部２８を拡大表示（以後、ＡＦ＋ＭＦモード中の拡大表示）する倍率とを比較する。そして、撮影待機状態の表示部２８を拡大表示する倍率の方が大きい場合に、ＡＦ＋ＭＦモード中の拡大表示倍率を撮影待機状態の拡大表示倍率とする。
【００３１】
図４は、デジタルカメラ１００の電源起動から撮影までの処理手順の一例を示すフローチャートである。
まず、電源スイッチ７２が電源オンとなることにより処理を開始する。そして、Ｓ４０１において、システム制御部５０は、不揮発性メモリ５６からカメラの各種パラメータを読み出して、システム制御部５０の動作設定の初期化処理を行う。この初期化設定の中に撮影待機中の拡大表示の初期設定、ＡＦ＋ＭＦモード中の拡大表示の初期設定（以後ＡＦ＋ＭＦモード時拡大倍率設定と呼称する）も含まれる。
【００３２】
次に、Ｓ４０２において、システム制御部５０は、撮像部２２などを経由して入力された画像データを表示部２８などへスルー表示（ライブビュー表示）させる。このとき、第１シャッタースイッチ６２、第２シャッタースイッチ６４、操作部７０からの各種操作の撮影待機状態となる。
Ｓ４０３において、システム制御部５０は、ユーザーにより操作部７０においてメニュー画面を表示する機能を割り当てられているボタン部材（メニューボタン）の操作がされたことを検出したか否かを判定する。この判定の結果、メニューボタンが操作されたことを検出した場合は、Ｓ４０４において、システム制御部５０はメニュー処理を行う。なお、メニュー処理の詳細については後述する。
【００３３】
一方、Ｓ４０３の判定の結果、メニューボタンが操作されたことを検出していない場合は、Ｓ４０５において、システム制御部５０は、ライブビュー画像を拡大モードで表示しているか否かを判定する。この判定の結果、ライブビュー画像が拡大モードで表示されている場合は、Ｓ４０６において、システム制御部５０は拡大モード処理を行う。なお、拡大モード処理の詳細については後述する。
【００３４】
一方、Ｓ４０５の判定の結果、画像が拡大表示されていない場合は、Ｓ４０７において、システム制御部５０は、ユーザーにより拡大モードへの遷移指示（拡大ボタン操作）がされたか否かを判定する。具体的には、操作部７０に含まれる拡大モードボタンの押下、あるいは図５（ａ）に示すような拡大ボタン５００のタッチがあったか否かを判定する。この判定の結果、拡大モードへの遷移指示があったことを検出した場合はＳ４０８へ進み、そうでない場合はＳ４０９に進む。
Ｓ４０８において、システム制御部５０は、ライブビュー表示されている画像を後述するＳ７０５〜Ｓ７０７のいずれかで設定された倍率で表示する。５倍または１０倍に設定されていた場合は、１倍の状態から５倍または１０倍に拡大して表示する。
【００３５】
次に、Ｓ４０９において、システム制御部５０は、第１シャッタースイッチ６２がＯＮとなり、第１シャッタースイッチ信号ＳＷ１が入力されたか否かを判定する。この判定の結果、第１シャッタースイッチ信号ＳＷ１が入力された場合はＳ４１０へ進み、システム制御部５０は、前述したＡＦやＡＥ等の撮影準備処理を行う。一方、第１シャッタースイッチ信号ＳＷ１が入力されていない場合はＳ４０２へ進む。
【００３６】
次に、Ｓ４１１において、システム制御部５０は、ＭＦ操作部材７５ＭＦ操作がされたか否かを判定する。ＭＦ操作（ＭＦ操作部材７５の操作）がされた場合はＡＦ＋ＭＦモードに遷移してＳ４１３に進む。Ｓ４１３において、システム制御部５０は、ＡＦ＋ＭＦモードにおける拡大表示倍率の決定処理を行う。なお、この処理の詳細については後述する。また、Ｓ４１１で検出したＭＦ操作に応じてフォーカス位置(ピント位置)の調整（フォーカスレンズの駆動）を行う。一方、ＭＦ操作部材７５ＭＦ操作がなされていない場合には、ＡＦ＋ＭＦモードへ遷移せずにＳ４１２へ進み、システム制御部５０は、拡大表示を行わない通常のＡＦ結果確認用のライブビュー画像を表示する。この場合、システム制御部５０は、撮影待機中に拡大表示していた場合は拡大表示を解除する。
【００３７】
Ｓ４１４においては、システム制御部５０は、第２シャッタースイッチ６４がＯＮになり、第２シャッタースイッチ信号ＳＷ２を入力したか否かを判定する。この判定の結果、第２シャッタースイッチ信号ＳＷ２を入力した場合はＳ４１５へ進み、システム制御部５０は、撮像部２２からの信号読み出しから記録媒体２００に画像データを書き込むまでの一連の撮影処理の動作を行う。そして、Ｓ４０２戻り、撮影待機状態に遷移する。なお、第１シャッタースイッチ信号ＳＷ１が入力される前（撮影待機中）に拡大表示していた場合は、第１シャッタースイッチ信号ＳＷ１が入力される前の拡大表示の倍率に戻す。一方、第２シャッタースイッチ信号ＳＷ２が入力されておらず、第１シャッタースイッチ信号ＳＷ１も入力されなくなった場合（シャッターボタン６１の半押しが解除された場合）も同様に、Ｓ４０２戻り、撮影待機状態に遷移する。なお、ＳＷ２がオンとなっておらず、ＳＷ１のオン（シャッターボタン６１の半押し）が維持されている場合は、Ｓ４１１に戻る。Ｓ４１１に戻った場合、ＡＦ＋ＭＦモードでない場合は、前述のとおりの処理を行う（すなわち、ＭＦ操作があればＳ４１３に進み、そうでなければ通常のＡＦ結果確認用のライブビュー画像の表示を継続する。Ｓ４１１に戻った場合に、既にＡＦ＋ＭＦモードに遷移していた場合はＳ４１３の処理は再度は行わず、Ｓ４１３で決定済みの倍率での表示を維持して、ＭＦ操作がある度にＭＦ操作に応じたフォーカス位置の調整を行う。
【００３８】
図６は、図４のＳ４０４におけるメニュー処理の詳細な処理手順の一例を示すフローチャートである。この処理では、ＡＦ＋ＭＦモード時の拡大倍率設定を１倍、５倍、１０倍のいずれかへ切り替える手順について説明する。
【００３９】
まず、Ｓ６０１において、システム制御部５０は、システムメモリ５２に書き込まれているプログラムに従ってメニュー画面を生成し、現在選択されている項目（以後カレント項目と呼称）を一番上にある項目へセットする。
次に、Ｓ６０２において、システム制御部５０は、Ｓ６０１で生成したメニュー画面のデータをメモリ３２へ転送し、メニュー画面を表示部２８へ表示する。
【００４０】
次に、Ｓ６０３において、システム制御部５０は、ユーザーにより操作部７０の４方向ボタンで上下のボタン操作が行われたことを検出したか否かを判定する。この判定の結果、上下のボタン操作が行われたことを検出した場合は、Ｓ６０４において、システム制御部５０は、表示部２８に表示されているメニュー画面の中で操作の方向に応じてカレント項目を移動させる。一方、上下のボタン操作が行われたことを検出していない場合はＳ６０５へ進む。
【００４１】
Ｓ６０５においては、システム制御部５０は、現在選択されているカレント項目が撮影画面の表示設定（ＡＦ＋ＭＦモードでの拡大倍率設定）か否かを判定する。この判定の結果、撮影画面の表示設定が選択されている場合は、Ｓ６０９へ進み、そうでない場合はＳ６０６へ進む。
【００４２】
Ｓ６０６においては、システム制御部５０は、ユーザーにより操作部７０の４方向ボタンで左右のボタン操作が行われたことを検出したか否かを判定する。この判定の結果、左右のボタン操作が行われたことを検出した場合はＳ６０７へ進み、カレント項目の設定を変更する。一方、左右のボタン操作が行われたことを検出していない場合はＳ６０８へ進む。
【００４３】
Ｓ６０８においては、システム制御部５０は、ユーザーにより操作部７０のメニューボタンが操作されたことを検出したか否かを判定する。この判定の結果、メニューボタンが操作されたことを検出した場合は、図４のＳ４０４のメニュー処理を終了し、図４のＳ４０２へ戻る。一方、メニューボタンが操作されたことを検出していない場合は、Ｓ６０３へ戻り、メニュー処理を継続する。
【００４４】
一方、Ｓ６０９においては、システム制御部５０は、撮影画面の表示設定でユーザーにより操作部７０の４方向ボタンで左右のボタン操作が行われたことを検出したか否かを判定する。この判定の結果、左右のボタン操作が行われたことを検出した場合はＳ６１０へ進み、そうでない場合はＳ６０８へ進む。
【００４５】
Ｓ６１０においては、システム制御部５０は、現在選択されている拡大倍率の設定値を確認する。この確認の結果、選択されている倍率が１倍である場合はＳ６１１へ進み、システム制御部５０は、１倍という設定値をシステムメモリ５２へ記憶し、Ｓ６０８へ進む。また、選択されている倍率が５倍である場合はＳ６１２へ進み、システム制御部５０は、５倍という設定値をシステムメモリ５２へ記憶し、Ｓ６０８へ進む。また、選択されている倍率が１０倍である場合はＳ６１３へ進み、システム制御部５０は、１０倍という設定値をシステムメモリ５２へ記憶し、Ｓ６０８へ進む。
【００４６】
図７は、図４のＳ４０６における拡大モード処理の詳細な処理手順の一例を示すフローチャートである。
Ｓ７０１において、システム制御部５０は、拡大モードの解除操作があったか否かを判定する。具体的には、操作部７０に含まれる拡大モードボタンの押下、あるいは図５（ｂ）のような、拡大表示中の画面に配置された拡大表示を解除する拡大解除ボタン５０１がユーザーにより操作されたことを検出したか否かを判定する。この判定の結果、拡大モードの解除操作があったことを検出した場合はＳ７０２へ進み、システム制御部５０は、拡大モードを解除して図４のＳ４０６の拡大モード処理を終了する。一方、拡大モードの解除操作を検出していない場合は、Ｓ７０３へ進む。
【００４７】
Ｓ７０３においては、システム制御部５０は、拡大表示倍率を変更する指示を受けたか否かを判定する。具体的には、操作部７０に含まれる倍率変更ボタンの押下、あるいは図５（ｂ）に示すような、拡大表示中の画面に配置された倍率変更ボタン５０２へのタッチがあったか否かを判定する。この判定の結果、拡大表示倍率を変更する指示を検出した場合はＳ７０４へ進み、そうでない場合はＳ７０８へ進む。
【００４８】
Ｓ７０４においては、システム制御部５０は、システムメモリ５２に記憶されている倍率の設定値から、現在設定されている倍率を確認する。この確認の結果、現在の倍率が１倍である場合はＳ７０５へ進み、システム制御部５０は、倍率を５倍に設定し、設定値をシステムメモリ５２に記憶する。また、現在の倍率が５倍である場合はＳ７０６へ進み、システム制御部５０は、倍率を１０倍に設定し、設定値をシステムメモリ５２に記憶する。また、現在の倍率が１０倍である場合はＳ７０７へ進み、システム制御部５０は、倍率を１倍に設定し、設定値をシステムメモリ５２に記憶する。
そして、Ｓ７０８において、システム制御部５０は、設定された倍率に変更して表示部２８に画像を表示するようにする。
【００４９】
次に、Ｓ７０９において、システム制御部５０は、ユーザーにより操作部７０の４方向ボタンで上下左右にボタン操作されたことを検出したか否かを判定する。この判定の結果、上下左右にボタン操作されたことを検出した場合はＳ７１０へ進み、システム制御部５０は、操作された方向へ中心位置をずらした画像を表示部２８に表示するようにし、拡大表示中の処理を終了する。一方、上下左右にボタン操作されたことを検出していない場合はそのまま拡大表示中の処理を終了する。以上のようにこの処理手順により、拡大表示中に拡大表示設定を解除する動作、拡大表示倍率を変更する動作、拡大位置の変更動作を行うことができる。
【００５０】
図８は、本実施形態において、図４のＳ４１３におけるＡＦ＋ＭＦモード時の拡大表示倍率を決定する詳細な処理手順の一例を示すフローチャートである。
まず、Ｓ８０１において、システム制御部５０は、システムメモリ５２に記憶されている撮影待機中の拡大表示倍率の設定値（拡大モードで表示する倍率の設定値）とＡＦ＋ＭＦモード時の拡大表示倍率の設定値とを比較する。そして、撮影待機中の拡大表示倍率の方が大きいか否かを判定する。この判定の結果、撮影待機中の拡大表示倍率の方が小さいもしくは同じである場合は、Ｓ８０２において、システム制御部５０は、ＡＦ＋ＭＦモードで設定されている拡大表示倍率で画像を表示部２８に表示し、処理を終了する。一方、撮影待機中の拡大表示倍率の方が大きい場合は、Ｓ８０３において、システム制御部５０は、撮影待機中に表示していた拡大倍率で画像を表示部２８に表示して、処理を終了する。なお、ＡＦ＋ＭＦモードでの拡大表示倍率が設定されているにもかかわらず、それより大きな拡大表示倍率で表示されることになるため、ユーザーは困惑する可能性がある。そこで、このような場合は、撮影待機中の拡大表示倍率の設定値の方が大きいため、撮影待機中の拡大表示倍率で表示している旨を表示部２８に表示するようにしてもよい。これにより、ユーザーは設定と異なる倍率であっても、困惑せずにその理由を把握することができる。
【００５１】
図９（ａ）は、本実施形態において、撮影待機中の拡大表示倍率とＡＦ＋ＭＦモードにおける拡大表示倍率との関係を示す図である。このように、ＡＦ＋ＭＦモード時の拡大表示倍率の設定値よりも撮影待機中の拡大表示倍率の方が大きい場合は、ＡＦ＋ＭＦモードにおいて、撮影待機中の拡大表示倍率とすることができる。ここで、通常時の拡大倍率設定と一時的なＭＦモードの拡大倍率との設定を別々とする手法が考えられる。しかし、このようにすると通常時に拡大表示した状態で、一時的なＭＦモードへ遷移した際に、一時的なＭＦモードの拡大表示倍率の方が小さくなる場合が起こる。一時的なＭＦモードで拡大表示するのはピントを絞り込むためであることを考えると、通常時の拡大表示倍率よりＭＦモードの拡大表示倍率の方が小さくなることは、ユーザーの望むところではない。そこで、本実施形態では、撮影待機中に拡大表示したとき、この状態から連続して一時的なＭＦモードへの遷移を行った場合に、一時的なＭＦモードの拡大倍率設定が撮影待機中よりも小さい場合は撮影待機中の拡大表示倍率で表示するようにしている。
【００５２】
以上のように本実施形態によれば、ＡＦを行った後に微調整を行う場合でも、撮影待機中よりも小さい倍率になってしまうことを防止することができる。これにより、ＡＦ＋ＭＦモード用に拡大表示倍率を設定し、撮影待機時に拡大表示して被写体を確認してＡＦ＋ＭＦモードに遷移したときに、通常時の拡大倍率がどのような倍率であっても違和感なくＡＦ＋ＭＦモードの画面へ遷移することができる。このため、ＡＦモードの撮影準備完了後に一時的にＭＦモードへ切り替わるような撮影補助機能を用いてユーザーが快適に撮影を行うことができる。
【００５３】
なお、上述の実施形態では、図８のＳ８０１の判定を拡大モード中であるか否かに関わらず行う例を説明した。一方、Ｓ８０１の判定の前に、撮影待機時に拡大モードで表示していたか否かを判定し、拡大モードで表示していた場合にＳ８０１に進み、そうでない場合にＳ８０２に進む用にしても良い。すなわち、撮影待機中に拡大モードで拡大表示していた場合には、元々の拡大表示の倍率（システムメモリ５２に記憶されている撮影待機中の拡大表示倍率）と、ＡＦ＋ＭＦモード時の拡大倍率とを比較し、大きい方の倍率で表示する。拡大モードでの表示をしていない状態でＳＷ１がオンとなりＡＦ＋ＭＦモードに遷移した場合には、元々の拡大表示の倍率（システムメモリ５２に記憶されている撮影待機中の拡大表示倍率）に関わらず、ＡＦ＋ＭＦモード時の拡大倍率を比較する。そして、大きい方の倍率で表示する。
【００５４】
また、本実施形態では、ＭＦ操作部材７５は、ＡＦモードでは基本的に機能しない例を説明したが、ＡＦモードにおいてもＭＦ操作部材７５が操作された場合にはＭＦモードに遷移してフォーカス位置の調整を行うとともにＭＦ用の拡大表示を行っても良い。この場合のＭＦ用の拡大表示も、前述のＡＦ＋ＭＦモードの拡大倍率と同様の拡大倍率で表示することができる。すなわち、システムメモリ５２に記憶されている撮影待機中の拡大表示倍率の設定値（拡大モードで表示する倍率の設定値）とＭＦモード時の拡大表示倍率として予め定められた設定値とを比較し、大きい方の倍率で表示する。ＭＦモード時の拡大表示倍率として予め定められた設定値は、ユーザーが予め設定しておくことができる。さらに上記比較は、拡大モードでの表示中のみ行うようにしてもよい。この場合、拡大モードで拡大表示していた場合にＭＦ操作がされ、ＭＦモード時の拡大表示倍率がＭＦ操作前の表示倍率以下である場合には、ＭＦ操作前の表示倍率が維持される。拡大モードで拡大表示していた場合にＭＦ操作がされ、ＭＦモード時の拡大表示倍率の方がＭＦ操作前の表示倍率より大きい場合には、ＭＦ操作前の表示倍率よりも拡大して表示される。
【００５５】
（第２の実施形態）
以下、本発明の第２の実施形態について説明する。本実施形態では、撮影待機時の拡大表示倍率とＡＦ＋ＭＦモード時の拡大表示倍率とを予め対応付けておくことにより、必ずＡＦ＋ＭＦモード時の拡大表示倍率の方が大きいもしくは同じになるようにしている。なお、本実施形態に係るデジタルカメラの構成について第１の実施形態と同様であるため、説明は省略する。以下、第１の実施形態と異なる点についてのみ説明する。
【００５６】
図１０は、本実施形態において、図４のＳ４１３におけるＡＦ＋ＭＦモード時の拡大表示倍率を決定する詳細な処理手順の一例を示すフローチャートである。
まず、Ｓ１００１において、システム制御部５０は、システムメモリ５２に記憶されている設定値から、撮影待機時の拡大表示倍率を確認する。この確認の結果、撮影待機時の拡大表示倍率が１倍である場合はＳ１００２へ進み、システム制御部５０は、５倍の拡大表示倍率で画像を表示部２８に表示して、処理を終了する。一方、撮影待機時の拡大表示倍率が５倍である場合はＳ１００３へ進み、システム制御部５０は、１０倍の拡大表示倍率で画像を表示部２８に表示して、処理を終了する。また、撮影待機時の拡大表示倍率が１０倍である場合はＳ１００４へ進み、システム制御部５０は、１０倍の拡大表示倍率で画像を表示部２８に表示して、処理を終了する。
【００５７】
なお、本実施形態では、図１０に示すように、撮影待機時の拡大表示倍率によって、ＡＦ＋ＭＦモード時の拡大表示倍率が決定されるため、図６に示すメニュー処理で、ＡＦ＋ＭＦモード時の拡大表示倍率を変更できないようにしてもよい。もしくは、図６の処理でＡＦ＋ＭＦモード時の拡大表示倍率を変更した場合であっても、図１０に示す処理によってＡＦ＋ＭＦモード時の拡大表示倍率を決定するようにしてもよい。
【００５８】
図９（ｂ）は、本実施形態において、撮影待機中の拡大表示倍率とＡＦ＋ＭＦモードにおける拡大表示倍率との関係を示す図である。このように、ＡＦ＋ＭＦモード時の拡大表示倍率は、撮影待機中の拡大表示倍率より小さくならないようにすることができる。
【００５９】
以上のように本実施形態によれば、ＡＦを行った後に微調整を行う場合でも、撮影待機中よりも小さい倍率になってしまうことを防止することができ、ユーザーによるＡＦ＋ＭＦモード時の拡大倍率設定を不要にすることができる。これにより、ＡＦ＋ＭＦモード用に拡大表示倍率を設定し、撮影待機時に拡大表示して被写体を確認してＡＦ＋ＭＦモードに遷移したときに、通常時の拡大倍率がどのような倍率であっても違和感なくＡＦ＋ＭＦモードの画面へ遷移することができる。このため、ＡＦモードの撮影準備完了後に一時的にＭＦモードへ切り替わるような撮影補助機能を用いてユーザーが快適に撮影を行うことができる。
【００６０】
（第３の実施形態）
以下、本発明の第３の実施形態について説明する。本実施形態では、ＡＦ＋ＭＦモード時の拡大表示倍率の設定をＯＦＦに設定するか、もしくは撮影待機時に設定可能な最大の拡大表示倍率かを選択できるようにしている。そして、必ずＡＦ＋ＭＦモード時の拡大表示倍率の方が大きくなるか同じになるようにしている。このように本実施形態では、ユーザーにとってわかりやすい設定としている。なお、本実施形態に係るデジタルカメラの構成について第１の実施形態と同様であるため、説明は省略する。以下、第１の実施形態と異なる点についてのみ説明する。
【００６１】
まず、図６のメニュー処理では、Ｓ６１０で設定ＯＦＦと最大倍率である１０倍との２通りの設定受付を行うことができるものとする。
【００６２】
図１１は、本実施形態において、図４のＳ４１３におけるＡＦ＋ＭＦモード時の拡大表示倍率を決定する詳細な処理手順の一例を示すフローチャートである。
まず、Ｓ１１０１において、システム制御部５０は、システムメモリ５２に記憶されている設定値から、ＡＦ＋ＭＦモード時の拡大表示倍率が１０倍に設定されているか否かを判定する。この判定の結果、設定ＯＦＦがになっている場合はＳ１１０２へ進み、システム制御部５０は、撮影待機時の拡大表示倍率で画像を表示部２８に表示して、処理を終了する。一方、設定値が１０倍である場合はＳ１１０３へ進み、システム制御部５０は、１０倍の拡大表示倍率で画像を表示部２８に表示して、処理を終了する。
【００６３】
図９（ｃ）は、本実施形態において、撮影待機中の拡大表示倍率とＡＦ＋ＭＦモードにおける拡大表示倍率との関係を示す図である。このように、ＡＦ＋ＭＦモード時の拡大表示倍率は、撮影待機中の拡大表示倍率より小さくならないようにすることができる。
【００６４】
以上のように本実施形態によれば、ＡＦを行った後に微調整を行う場合でも、簡単な設定で撮影待機中よりも小さい倍率になってしまうことを防止することができる。これにより、ＡＦ＋ＭＦモード用に拡大表示倍率を設定し、撮影待機時に拡大表示して被写体を確認してＡＦ＋ＭＦモードに遷移したときに、通常時の拡大倍率がどのような倍率であっても違和感なくＡＦ＋ＭＦモードの画面へ遷移することができる。このため、ＡＦモードの撮影準備完了後に一時的にＭＦモードへ切り替わるような撮影補助機能を用いてユーザーが快適に撮影を行うことができる。
【００６５】
（第４の実施形態）
以下、本発明の第４の実施形態について説明する。本実施形態では、ＡＦ＋ＭＦモード時の拡大表示倍率の設定値を撮影待機時の拡大表示倍率へ乗算することにより、必ずＡＦ＋ＭＦモード時の拡大表示倍率の方が大きくなるか同じになるようにしている。なお、本実施形態に係るデジタルカメラの構成について第１の実施形態と同様であるため、説明は省略する。以下、第１の実施形態と異なる点についてのみ説明する。
【００６６】
図１２は、本実施形態において、図４のＳ４１３におけるＡＦ＋ＭＦモード時の拡大表示倍率を決定する詳細な処理手順の一例を示すフローチャートである。
Ｓ１２０１において、システム制御部５０は、システムメモリ５２に記憶された設定を参照し、ＡＦ＋ＭＦモード時の拡大表示倍率と撮影待機中の拡大表示倍率とを乗算した値で画像を表示部２８に表示して、処理を終了する。
【００６７】
図９（ｄ）は、本実施形態において、撮影待機中の拡大表示倍率とＡＦ＋ＭＦモードにおける拡大表示倍率との関係を示す図である。このように、ＡＦ＋ＭＦモード時の拡大表示倍率は、撮影待機中の拡大表示倍率より小さくならないようにすることができる。
【００６８】
以上のように本実施形態によれば、ＡＦを行った後に微調整を行う場合でも、撮影待機中よりも小さい倍率になってしまうことを防止することができる。これにより、ＡＦ＋ＭＦモード用に拡大表示倍率を設定し、撮影待機時に拡大表示して被写体を確認してＡＦ＋ＭＦモードに遷移したときに、通常時の拡大倍率がどのような倍率であっても違和感なくＡＦ＋ＭＦモードの画面へ遷移することができる。このため、ＡＦモードの撮影準備完了後に一時的にＭＦモードへ切り替わるような撮影補助機能を用いてユーザーが快適に撮影を行うことができる。
【００６９】
（その他の実施形態）
なお、システム制御部５０が行うものとして説明した上述の各種制御は、１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７０】
また、上述した実施形態においては、本発明をデジタルカメラ１００に適用した場合を例にして説明したが、これはこの例に限定されず、ＡＦ＋ＭＦモードで撮影可能な撮像手段を有する機器であれば適用可能である。すなわち、本発明は携帯電話端末やタブレット端末、スマートフォン、などに適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【００７１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７２】
５０  システム制御部
７５  ピント調整スイッチ
【図１】
2018107753.tif 000003
【図２】
2018107753.tif 000004
【図３】
2018107753.tif 000005
【図４】
2018107753.tif 000006
【図５】
2018107753.tif 000007
【図６】
2018107753.tif 000008
【図７】
2018107753.tif 000009
【図８】
2018107753.tif 000010
【図９】
2018107753.tif 000011
【図１０】
2018107753.tif 000012
【図１１】
2018107753.tif 000013
【図１２】
2018107753.tif 000014